(57)【要約】【課題】  プリンターの印字適性、搬送適性等に優れ、また製造する上で、製造工程が増えることもなく、隠蔽性が高く、隠蔽する際の手間がかからなく、簡単に隠蔽することができる往復隠蔽はがきを提供する。【解決手段】  第１の基材と第２の基材とが接着剤Ａと接着剤Ｂとを接着箇所を分けて、重ね合わせられた往復隠蔽はがきであり、接着剤Ａは強接着剤であり、接着剤Ｂは剥離可能で、再接着再剥離可能である擬似接着剤であり、また、第１の基材の第１Ｂ基材部の所定の位置に貫通穴が施され、第２の基材の第２Ｂ基材部と重ね合った時に、第２Ｂ基材部の接着剤Ｂが設けられた側に印刷された特定情報が、該貫通穴を通して視認でき、第１Ｃ基材部の表面に記載した個人情報を隠蔽するように、折り線５の部分で折って、第２の基材の第２Ｂ基材部と、第１の基材の第１Ｃ基材部とが接着剤Ｂを介して接着して返送される。【選択図】      図１
2008006742.tif 000002
【特許請求の範囲】
【請求項１】
第１の基材と第２の基材とが接着剤Ａと接着剤Ｂとを接着箇所を分けて、使用して重ね合わせられた往復隠蔽はがきにおいて、
該第１の基材が第１Ａ基材部と第１Ｂ基材部とが折り線２を介して区分けされ、かつ第１の基材が第１Ｂ基材部と第１Ｃ基材部とがスリット３を介して区分けされたもので、該第２の基材が第２Ａ基材部と第２Ｂ基材部とがスリット４を介して区分けされ、かつ第２の基材が第２Ｂ基材部と第２Ｃ基材部とが折り線５を介して区分けされたもので、
第１Ａ基材部と第２Ａ基材部を重ね合わせる接着剤が接着剤Ａであり、第１Ｃ基材部と第２Ｃ基材部を重ね合わせる接着剤も接着剤Ａであり、第１Ｂ基材部と第２Ｂ基材部を重ね合わせる接着剤が接着剤Ｂであり、接着剤Ａは強接着剤であり、接着剤Ｂは剥離可能で、再接着再剥離可能である擬似接着剤であり、
また、第１の基材の第１Ｂ基材部の所定の位置に貫通穴が施され、第２の基材の第２Ｂ基材部と重ね合った時に、第２Ｂ基材部の接着剤Ｂが設けられた側に印刷された特定情報が、該貫通穴を通して視認できるものであり、
また第２の基材の表面に再剥離性感圧粘着剤層が設けられ、往信時は前記の折り線２で折り畳み、第２の基材の第２Ａ基材部と第２Ｂ基材部の表面同士が重ね合わされて圧着されて接着可能であり、
返信時は前記スリット３の部分から、第１の基材の第１Ｂ基材部を接着剤Ｂから剥離して、第２の基材の第２Ｂ基材部と分離し、かつ前記スリット４の部分から、接着剤Ｂが付着された第２の基材の第２Ｂ基材部を、第１の基材の第１Ｂ基材部と分離し、得られた第１の基材の第１Ｃ基材部と、第２の基材の第２Ｂ基材部及び第２Ｃ基材部からなる返信はがきを、第１の基材の第１Ｃ基材部の表面に記載した個人情報を隠蔽するように、折り線５の部分で折って、第２の基材の第２Ｂ基材部と、第１の基材の第１Ｃ基材部とが接着剤Ｂを介して接着して返送されることを特徴とする往復隠蔽はがき。
【請求項２】
第１の基材と第２の基材とが接着剤Ａと接着剤Ｂとを接着箇所を分けて、使用して重ね合わせられた往復隠蔽はがきにおいて、
該第１の基材が第１Ａ基材部と第１Ｂ基材部とが折り線２を介して区分けされもので、該第２の基材が第２Ａ基材部と第２Ｂ基材部とがスリット４を介して区分けされ、かつ第２の基材が第２Ｂ基材部と第２Ｃ基材部とが折り線５を介して区分けされたもので、
第１Ａ基材部と第２Ａ基材部を重ね合わせる接着剤が接着剤Ａであり、第１Ｂ基材部と第２Ｂ基材部を重ね合わせる接着剤が接着剤Ｂであり、接着剤Ａは強接着剤であり、接着剤Ｂは剥離可能で、再接着再剥離可能である擬似接着剤であり、
また、第１の基材の第１Ｂ基材部の所定の位置に貫通穴が施され、第２の基材の第２Ｂ基材部と重ね合った時に、第２Ｂ基材部の接着剤Ｂが設けられた側に印刷された特定情報が、該貫通穴を通して視認できるものであり、
また第２の基材の表面に再剥離性感圧粘着剤層が設けられ、往信時は前記の折り線２で折り畳み、第２の基材の第２Ａ基材部と第２Ｂ基材部の表面同士が重ね合わされて圧着されて接着可能であり、
返信時は第１の基材の第１Ｂ基材部を接着剤Ｂから剥離して、第２の基材の第２Ｂ基材部と分離し、かつ前記スリット４の部分から、接着剤Ｂが付着された第２の基材の第２Ｂ基材部を、第１の基材の第１Ｂ基材部と分離し、得られた第２の基材の第２Ｂ基材部及び第２Ｃ基材部からなる返信はがきを、第２の基材の第２Ｃ基材部の裏面に記載した個人情報を隠蔽するように、折り線５の部分で折って、第２の基材の第２Ｂ基材部と、第２の基材の第２Ｃ基材部とが接着剤Ｂを介して接着して返送されることを特徴とする往復隠蔽はがき。
【請求項３】
前記の特定情報が、郵便往復はがきと表示されたものであることを特徴とする請求項１または２に記載の往復隠蔽はがき。
【請求項４】
前記の第１の基材と第２の基材の少なくとも一方において、地紋印刷が設けられて、該基材部に記載された個人情報が透けて見えないようにしたことを特徴とする請求項１〜３のいずれかに記載の往復隠蔽はがき。
【発明の詳細な説明】
【技術分野】
【０００１】
本発明は往復隠蔽はがきに関し、特にプリンターの印字適性、搬送適性等に優れ、また製造する上で、製造工程が増えることもなく、隠蔽性が高く、隠蔽する際の手間がかからなく、簡単に隠蔽することができる往復隠蔽はがきに関するものである。
【背景技術】
【０００２】
従来、往復はがきを使用する際に、封筒に入れずに、個人情報の記載されたはがきを往復させて、例えば企業から個人に往信する時に、その個人情報の記載部を隠蔽させるために、紙と重ね合わせて、圧着し隠蔽していた。また、同じはがきを使用して、個人から企業へ返信する時は、はがきに添付されているラベルを個人情報の記載部に貼り付けて、隠蔽していた。
【０００３】
図２、３は、従来の往復隠蔽はがきの一例を示す図である。
従来の往復隠蔽はがき１は、図２ａ）に示すように、折り線１２と折り線１３が施され、該折り線１２で山折りに折り畳まれた状態で、Ａ面、Ｂ面が重ね合わされ、圧着されると接着するような接着剤が、基材に塗布されたものが使用されている。そして、Ｂ面の一定箇所に、裏面に粘着剤が設けられた隠蔽ラベル１４が貼り込まれている。この往復はがきの往信された個人は、Ｃ面を、折り線１３を利用して、Ｂ面から切り離して、返信はがきとして利用する。その返信時は、Ｂ面に貼付されている隠蔽ラベル１４をＢ面から剥離して、図２ａ）に示すＣ面の個人情報欄に、その隠蔽ラベルを貼り付けて、個人情報欄の情報を隠蔽しておく。
【０００４】
尚、図２に示す往復隠蔽はがき１は、図２ａ）に示すものが、おもて側の状態で、Ａ面には、広告欄などが配置され、圧着され接着した状態では、はがきの裏面の最表面となって、その広告欄の情報が即座に見られるものである。またＢ面には、往復はがきの往信先の住所、名前を記載した欄が、上側に配置され、下側には、隠蔽ラベル１４がＢ面から剥離可能に貼り付けられている。また、Ｃ面には、往信先の個人情報欄が隠蔽ラベルで覆われるサイズにて配置されている。
【０００５】
図２ｂ）に示すものは、往復隠蔽はがき１の裏面側であり、Ｃ面には返信時のはがきの「郵便往復はがき」、「返信」等の文字が印刷されている。Ａ面には、往信された、つまり返信者の個人情報が、前記のＣ面の表に記載された個人情報と同様に、記載されている。またＢ面には、全面に地紋印刷が施され、往復隠蔽はがきが往信される際に、個人情報が透けて見えることが困難になるようにしている。尚、Ａ面とＢ面は、折り線１２を境にして隣接し、またＢ面とＣ面は、折り線１３を境にして隣接している。折り線１２と折り線１３は、両方とも、その線に沿って、折るものであるが、折り線１３は、往信先の人が、往復隠蔽はがきを受取った後に、返信する際に、Ｃ面を、Ａ面とＢ面が連結したものから、切り取って使用する。また、図２に示す往復隠蔽はがきは、両側にマージナルパンチ加工が施された連続フォームとして、製造され、そのマージナルパンチ加工された部分を利用して、個人情報等を、プリンターで連続的に印字することが行われる。但し、３つ折された往復隠蔽はがきとして、利用する際は、そのマージナルパンチ加工された部分は、切り取り線１５、１６により、切り離される。
【０００６】
上記の図２に示す往復隠蔽はがき１は、折り線１２で折り畳み、Ａ面、Ｂ面を重ね合わして、圧着した後に、別工程にて、隠蔽ラベルをラベラ等を使用して、Ｂ面に貼り込むことが必要であり、非常に手間がかかり、また製造コストが高くついてしまう。
【０００７】
以上のような問題があるので、図３に示すような往復隠蔽はがきの改良品が提案されている。図３に示す往復隠蔽はがき１は、図３ａ）に示すものが、おもて側の状態で、Ａ面には、広告欄などが配置され、圧着され接着した状態では、はがきの裏面の最表面となって、その広告欄の情報が即座に見られるものである。またＢ面には、往復はがきの往信先の住所、名前を記載した欄が、上側に配置され、かつ下側には、切り抜き部１７が、配置されたシート１８が、剥離可能で、再接着可能である擬似接着剤層により、Ｂ面の全面に貼り付けられている。また、Ｃ面には、往信先の個人情報欄（往信先記入）が隠蔽ラベルで覆われるサイズにて配置されている。
【０００８】
図３ｂ）に示すものは、往復隠蔽はがき１の裏面側であり、Ｃ面には返信時のはがきの「郵便往復はがき」、「返信」等の文字が印刷されている。Ａ面には、往信された、つまり返信者の個人情報が記載されている。またＢ面には、全面に地紋印刷が施され、往復隠蔽はがきが往信される際に、個人情報が透けて見えることが困難になるようにしている。尚、Ａ面とＢ面は、折り線１２を境にして隣接し、またＢ面とＣ面は、折り線１３を境にして隣接している。折り線１２と折り線１３は、両方とも、その線に沿って、折るものであるが、折り線１３は、往信先の人が、往復隠蔽はがきを受取った後に、返信する際に、Ｃ面を、Ａ面とＢ面が連結したものから、切り取って使用する。また、図３に示す往復隠蔽はがきは、両側にマージナルパンチ加工が施された連続フォームとして、製造され、そのマージナルパンチ加工された部分を利用して、個人情報、住所、名前等を、プリンターで連続的に印字することが行われる。但し、３つ折された往復隠蔽はがきとして、利用する際は、そのマージナルパンチ加工された部分は、切り取り線１５、１６により、切り離される。
【０００９】
図３ａ）に示すように、折り線１２と折り線１３が施され，該折り線１２が山折りで折り畳まれた状態で、Ａ面、Ｂ面が重ね合わされ、圧着されると接着するような接着剤が、塗布されたものが使用されている。そして、Ｂ面の全面には、擬似接着剤層により、シート１８が貼り付けられている。この往復はがきの往信された個人は、Ｃ面を、折り線１３を利用して、Ｂ面から切り離して、返信はがきとして利用する。その返信時は、Ｂ面に貼付されているシート１８の切り抜き部１７がハーフカット１９の加工がされているので、そのハーフカット１９を利用して、切り抜き部１７をＢ面から剥離して、図３ａ）に示すＣ面の個人情報欄に、その切り抜き部１７を、裏面に設けられた擬似接着剤層により、貼り付けて、個人情報欄の情報を隠蔽しておく。
【００１０】
図３に示している往復隠蔽はがき１は、ラベラによりシート１８を貼り込む方法ではなく、擬似接着剤をＢ面の表面に塗工して、シート１８を重ね合わせて接着させる方法が多く行われる。この方法は、擬似接着剤は、切り抜き部１７をＢ面から剥離した場合、シート１８側、つまり切り抜き部１７の側に転写されて、切り抜き部１７がラベルとして、個人情報欄を隠蔽するために貼付できる。また、この往復隠蔽はがき１は、Ａ面、Ｂ面、Ｃ面が連接したはがき本体１０と、シート１８との縦方向の見当合わせが出来ないために、シート１８に印刷を施しておくことができない問題がある。さらに、Ｂ面の全面に、シート１８が擬似接着剤層により、貼り付けられているので、他のＡ面及びＣ面と比べ、Ｂ面の部分の総厚が大きくなり、プリンターでの搬送適性が低下し、またその影響もあり、印字適性も低下する問題がある。
【００１１】
図２、３で示した往復隠蔽はがき１は、両者とも隠蔽ラベル（切り抜き部）を、該往復隠蔽はがきから、いったん剥がして、所定の個人情報欄に位置合せをして、貼り付ける手間が必要である。隠蔽ラベルの大きさにもよるが、該ラベルを貼る位置が多少外れた場合に、個人情報欄の全体を隠蔽できずに、部分的に該情報が見えてしまう問題がある。
【００１２】
また、特許文献１に示す往復はがきは、返信宛名情報が記載された紙葉３の裏面の全面にラベルを積層させたものが、提案されている。しかし、この場合も、紙葉３の部分が、他の紙葉１、２の部分に比べ、総厚が大きく、プリンターでの搬送適性が低下し、またその影響もあり、印字適性も低下する問題がある。
【特許文献１】特開平７−４０６８３号公報
【発明の開示】
【発明が解決しようとする課題】
【００１３】
したがって、本発明は、プリンターの印字適性、搬送適性等に優れ、また製造する上で、製造工程が増えることもなく、隠蔽性が高く、隠蔽ラベルを用いて、剥がして貼り込む際、ラベルの貼る位置が曲がったり、外れることがなく、簡単に個人情報を隠蔽することができる往復隠蔽はがきを提供することを目的とする。
【課題を解決するための手段】
【００１４】
以上の状況を鑑み、鋭意研究開発を進め、本発明に到った。すなわち、請求項１に記載の発明は、第１の基材と第２の基材とが接着剤Ａと接着剤Ｂとを接着箇所を分けて、使用して重ね合わせられた往復隠蔽はがきにおいて、
該第１の基材が第１Ａ基材部と第１Ｂ基材部とが折り線２を介して区分けされ、かつ第１の基材が第１Ｂ基材部と第１Ｃ基材部とがスリット３を介して区分けされたもので、該第２の基材が第２Ａ基材部と第２Ｂ基材部とがスリット４を介して区分けされ、かつ第２の基材が第２Ｂ基材部と第２Ｃ基材部とが折り線５を介して区分けされたもので、
第１Ａ基材部と第２Ａ基材部を重ね合わせる接着剤が接着剤Ａであり、第１Ｃ基材部と第２Ｃ基材部を重ね合わせる接着剤も接着剤Ａであり、第１Ｂ基材部と第２Ｂ基材部を重ね合わせる接着剤が接着剤Ｂであり、接着剤Ａは強接着剤であり、接着剤Ｂは剥離可能で、再接着再剥離可能である擬似接着剤であり、
また、第１の基材の第１Ｂ基材部の所定の位置に貫通穴が施され、第２の基材の第２Ｂ基材部と重ね合った時に、第２Ｂ基材部の接着剤Ｂが設けられた側に印刷された特定情報が、該貫通穴を通して視認できるものであり、
また第２の基材の表面に再剥離性感圧粘着剤層が設けられ、往信時は前記の折り線２で折り畳み、第２の基材の第２Ａ基材部と第２Ｂ基材部の表面同士が重ね合わされて圧着されて接着可能であり、
返信時は前記スリット３の部分から、第１の基材の第１Ｂ基材部を接着剤Ｂから剥離して、第２の基材の第２Ｂ基材部と分離し、かつ前記スリット４の部分から、接着剤Ｂが付着された第２の基材の第２Ｂ基材部を、第１の基材の第１Ｂ基材部と分離し、得られた第１の基材の第１Ｃ基材部と、第２の基材の第２Ｂ基材部及び第２Ｃ基材部からなる返信はがきを、第１の基材の第１Ｃ基材部の表面に記載した個人情報を隠蔽するように、折り線５の部分で折って、第２の基材の第２Ｂ基材部と、第１の基材の第１Ｃ基材部とが接着剤Ｂを介して接着して返送されることを特徴とする。
【００１５】
請求項２に記載の発明は、第１の基材と第２の基材とが接着剤Ａと接着剤Ｂとを接着箇所を分けて、使用して重ね合わせられた往復隠蔽はがきにおいて、
該第１の基材が第１Ａ基材部と第１Ｂ基材部とが折り線２を介して区分けされもので、該第２の基材が第２Ａ基材部と第２Ｂ基材部とがスリット４を介して区分けされ、かつ第２の基材が第２Ｂ基材部と第２Ｃ基材部とが折り線５を介して区分けされたもので、
第１Ａ基材部と第２Ａ基材部を重ね合わせる接着剤が接着剤Ａであり、第１Ｂ基材部と第２Ｂ基材部を重ね合わせる接着剤が接着剤Ｂであり、接着剤Ａは強接着剤であり、接着剤Ｂは剥離可能で、再接着再剥離可能である擬似接着剤であり、
また、第１の基材の第１Ｂ基材部の所定の位置に貫通穴が施され、第２の基材の第２Ｂ基材部と重ね合った時に、第２Ｂ基材部の接着剤Ｂが設けられた側に印刷された特定情報が、該貫通穴を通して視認できるものであり、
また第２の基材の表面に再剥離性感圧粘着剤層が設けられ、往信時は前記の折り線２で折り畳み、第２の基材の第２Ａ基材部と第２Ｂ基材部の表面同士が重ね合わされて圧着されて接着可能であり、
返信時は第１の基材の第１Ｂ基材部を接着剤Ｂから剥離して、第２の基材の第２Ｂ基材部と分離し、かつ前記スリット４の部分から、接着剤Ｂが付着された第２の基材の第２Ｂ基材部を、第１の基材の第１Ｂ基材部と分離し、得られた第２の基材の第２Ｂ基材部及び第２Ｃ基材部からなる返信はがきを、第２の基材の第２Ｃ基材部の裏面に記載した個人情報を隠蔽するように、折り線５の部分で折って、第２の基材の第２Ｂ基材部と、第２の基材の第２Ｃ基材部とが接着剤Ｂを介して接着して返送されることを特徴とする。
【００１６】
請求項３に記載の発明は、請求項１または２に記載の特定情報が、郵便往復はがきと表示されたものであることが好ましい。
請求項４に記載の発明は、請求項１〜３のいずれかに記載の第１の基材と第２の基材の少なくとも一方において、地紋印刷が設けられて、該基材部に記載された個人情報が透けて見えないようにすることが好ましい。
【発明の効果】
【００１７】
本発明の往復隠蔽はがきは、第１の基材と第２の基材とが接着剤Ａと接着剤Ｂとを接着箇所を分けて、使用して重ね合わせられた往復隠蔽はがきにおいて、
該第１の基材が第１Ａ基材部と第１Ｂ基材部とが折り線２を介して区分けされ、かつ第１の基材が第１Ｂ基材部と第１Ｃ基材部とがスリット３を介して区分けされたもので、該第２の基材が第２Ａ基材部と第２Ｂ基材部とがスリット４を介して区分けされ、かつ第２の基材が第２Ｂ基材部と第２Ｃ基材部とが折り線５を介して区分けされたもので、
第１Ａ基材部と第２Ａ基材部を重ね合わせる接着剤が接着剤Ａであり、第１Ｃ基材部と第２Ｃ基材部を重ね合わせる接着剤も接着剤Ａであり、第１Ｂ基材部と第２Ｂ基材部を重ね合わせる接着剤が接着剤Ｂであり、接着剤Ａは強接着剤であり、接着剤Ｂは剥離可能で、再接着再剥離可能である擬似接着剤であり、
また、第１の基材の第１Ｂ基材部の所定の位置に貫通穴が施され、第２の基材の第２Ｂ基材部と重ね合った時に、第２Ｂ基材部の接着剤Ｂが設けられた側に印刷された特定情報が、該貫通穴を通して視認できるものであり、
また第２の基材の表面が再剥離性感圧粘着剤層が設けられ、往信時は前記の折り線２で折り畳み、第２の基材の第２Ａ基材部と第２Ｂ基材部の表面同士が重ね合わされて圧着されて接着可能であり、
返信時は前記スリット３の部分から、第１の基材の第１Ｂ基材部を接着剤Ｂから剥離して、第２の基材の第２Ｂ基材部と分離し、かつ前記スリット４の部分から、接着剤Ｂが付着された第２の基材の第２Ｂ基材部を、第１の基材の第１Ｂ基材部と分離し、得られた第１の基材の第１Ｃ基材部と、第２の基材の第２Ｂ基材部及び第２Ｃ基材部からなる返信はがきを、第１の基材の第１Ｃ基材部の表面に記載した個人情報を隠蔽するように、折り線５の部分で折って、第２の基材の第２Ｂ基材部と、第１の基材の第１Ｃ基材部とが接着剤Ｂを介して接着して返送されるようにした。また、上記の第１の基材が、第１Ｃ基材部を無くして、第１Ａ基材部と第１Ｂ基材部のみから構成することも可能である。但し、この場合は、上記のスリット３及び第２Ｃ基材部で設けられる接着剤は無い形態である。
【００１８】
上記の往復隠蔽はがきは、第２の基材に対して、第１の基材の全面（第１Ａ基材部と第１Ｂ基材部と第１Ｃ基材部を合わせたもの、あるいは第１Ａ基材部と第１Ｂ基材部を合わせたもの）を貼り合せた構成であり、往復隠蔽ハガキの両端に、マージナルパンチ加工が施された連続フォームとして、製造することができ、かつ第２の基材の両端と第１の基材の少なくとも片端それぞれに、マージナルパンチ加工が施された連続フォームとして、別個に印刷加工を予め行なって、その後に第１の基材と第２の基材を、それぞれ印刷された部分の上下、左右の位置見当を合わせることができる。
【００１９】
また、従来の隠蔽ラベルをラベラを使用して、貼り込む必要がなく、製造工程が増えることもない。請求項１で規定した第１の基材と第２の基材との外形の大きさが同じである場合、第１の基材と第２の基材の合わせた総厚の差が無く、段差がなく、全面が均一な厚さになり、プリンタでの搬送適性がより良好であり、また印字適性も良好となる。
【００２０】
また、本発明の往復隠蔽はがきは、第２の基材の表面が再剥離性感圧粘着剤層が設けられているので、往信時は折り線２で折り畳み、第２の基材の第２Ａ基材部と第２Ｂ基材部の表面同士が重ね合わされ圧着されて接着することができ、隠蔽性に優れている。さらに返信時は、第１の基材の第１Ｃ基材部と、第２の基材の第２Ｂ基材部及び第２Ｃ基材部からなる返信はがきを、第１の基材の第１Ｃ基材部の表面に記載した個人情報を隠蔽するように、折り線５の部分で折って、第２の基材の第２Ｂ基材部と、第１の基材の第１Ｃ基材部とが接着剤Ｂを介して接着して返送される。あるいは、返信時、第２の基材の第２Ｂ基材部及び第２Ｃ基材部からなる返信はがきを、第２の基材の第２Ｃ基材部の裏面に記載した個人情報を隠蔽するように、折り線５の部分で折って、第２の基材の第２Ｂ基材部と、第２の基材の第２Ｃ基材部とが接着剤Ｂを介して接着して返送される。これにより、従来の隠蔽ラベルを剥がして、個人情報の記載部分にラベルを貼るものではなく、折り線５の部分で折って接着することにより、簡単に個人情報を隠蔽することができる。
【発明を実施するための最良の形態】
【００２１】
図１は、本発明の往復隠蔽はがき１の一つの実施形態を示す概略図であり、図１ａ）は往復隠蔽はがきが往信して使用する前の第１の基材、第２の基材とが接着剤Ａ、Ｂや、折り線２、５や、スリット３、４等で構成されることを説明するための概略図であり、図１ｂ）は図１ａ）で示した往復隠蔽はがきが、往信された後の返信時での使用される状態を説明するための概略図である。
【００２２】
図１ａ）において、第２の基材２２が、第２Ａ基材部（２Ａ）と第２Ｂ基材部（２Ｂ）とがスリット４を介して区分けされ、かつ第２の基材２２が第２Ｂ基材部（２Ｂ）と第２Ｃ基材部（２Ｃ）とが折り線５を介して区分けされて形成されている。第２Ａ基材部の表面を２Ａ面とし、第２Ｂ基材部の表面を２Ｂ面とし、また第２Ｃ基材部の表面を２Ｃ面として、２Ｃ面には図示はしていないが、返信時のはがきの「郵便はがき」、「返信」等の文字が印刷されている。２Ａ面には、個人情報２３が、可変情報として、例えば、ノーインパクトプリンターを使用して、印字されている。第２の基材２２は、両端に、マージナルパンチ２５加工が施された連続フォームの形態で製造され、また上記のプリンター印字は、その加工されたマージナルパンチを利用して連続処理される。また第２の基材２２は、個人情報２３を隠蔽するために、基材２２の表面の全面に、再剥離性感圧粘着剤層２４が設けられている。
【００２３】
この再剥離性感圧粘着剤層２４は、その使用する粘着剤層が基材と接触しても粘着せずに、粘着剤層同士が加圧接触してはじめて粘着し、しかも再剥離ができるように調整されたものであり、従来の折り畳みのメールフォームで利用されているものが使用できる。一般的に、粘着主剤、粘着力調整剤、添加物等でその粘着剤層を構成できる。往信時はスリット４で、山折りの条件で折り畳み、第２の基材２２の第２Ａ基材部と第２Ｂ基材部の表面同士（２Ａ面と２Ｂ面）が重ね合わされて圧着されて接着し、上記の個人情報２３が隠蔽できる。また図示してはいないが、基材部に記載あるいは記入された個人情報、すなわち第２Ａ基材部の表面の個人情報２３、あるいは第１Ｃ基材部の表面に記入した個人情報３２において、郵便配達中などの取扱い中に、それらの個人情報が透けて見えないように、地紋印刷が施されることが好ましい。詳しくは、まず第２Ａ基材部の表面の個人情報２３では、第２Ａ基材部の裏面全面に（接着剤Ａと接する側に）、及び／または第１Ａ基材部の接着剤Ａと接する側に、及び／または第２Ｂ基材部の接着剤Ｂと接する側に、及び／または第１Ｂ基材部の接着剤Ｂと接する側に、地紋印刷を施すことができる。
また、第１Ｃ基材部の表面に記入した個人情報３２では、第１Ｃ基材部の裏面全面に（接着剤Ａと接する側に）、及び／または第２Ｃ基材部の接着剤Ａと接する側に、地紋印刷を施すことができる。さらに、その個人情報３２を隠蔽するよう、返信時の際に、折り線５の部分で折って、第２の基材の第２Ｂ基材部と、第１の基材の第１Ｃ基材部とが接着剤Ｂを介して接着されるので、第２Ｂ基材部の接着剤Ｂと接する面に、あるいは第２Ｂ基材部の接着剤Ｂと接しない面に、地紋印刷を施すことができる。
このようにして、往復隠蔽はがきが往信、返信される際に、個人情報が透けて見えることを困難にすることができる。
【００２４】
第１の基材２１の第１Ｂ基材部の所定の位置に貫通穴６が施され、第２の基材２２の第２Ｂ基材部と重ね合った時に、第２Ｂ基材部の接着剤Ｂが設けられた側に印刷された特定情報７が、該貫通穴６を通して視認できるものであるが、図１で示したような貫通穴６の形状は、円形に限らず、特定情報７が視認できる条件であれば、楕円形、四角形、星型等、適宜選択することができる。また、第１Ｂ基材部に、複数の貫通穴を設ける条件に限らず、帯状の一つの穴を設けることも可能である。また、図示したものは、特定情報７として、「郵便往復はがき」を示したが、これに限らず、「アンケート返答用紙」等にする等、使用する目的に応じて変えることができる。但し、このような往復はがきとして利用する以外の用途では、発明の対象が往復隠蔽はがきではなく、アンケート用紙等に変更されるが、本発明では対象がアンケート用紙等を含めた意味で、往復隠蔽はがきの用語を用いている。上記の特定情報７として、「郵便往復はがき」を使用した場合、現行郵便規則を満足した郵便はがきとして利用することができる。
尚、本発明の往復隠蔽はがきは、第１の基材の第１Ｂ基材部の所定の位置に貫通穴が施されている条件であるが、この貫通穴を全く施さないで、その他の条件は特許請求の範囲１または２に記載された条件の往復隠蔽はがきは、現行郵便規則を満足しないが、今後、往復隠蔽はがきとして、使用できる可能性はある。
【００２５】
第１の基材２１の折り線２と、第２の基材２２に設けられたスリット４は、同じ位置に合わせ、第１の基材２１のスリット３と、第２の基材２２に設けられた折り線５は、同じ位置に合わせておく。スリット４は、第２の基材の第２Ｂ基材部を、第１の基材の第１Ｂ基材部と重なって接着された状態から剥がすためのものである。スリット３は、第１Ｂ基材部を接着剤Ｂから剥離して、第２Ｂ基材部と分離するためのものである。またスリット３は、往信時において、往復はがきとしてのはがきサイズで投函するために、そのスリット３の位置で、折りやすくするものである。
【００２６】
上記の折り線２とスリット４は、またスリット３と折り線５は、同じ位置に合わせるもので、第１の基材２１と、第２の基材２２とが接着剤Ａ、Ｂにより重ね合わされた状態で、一方の基材のみにスリット加工を行なうだけにより、自動的に折り線の加工が施される結果となる。（折り線は折りぐせがつく程度に、圧力が加えられたものである。）すなわち、第１の基材２１と第２の基材２２とが、接着剤Ａ、Ｂにより接着されて、一体化した状態で、スリット３では、第１の基材２１の表面から、第１の基材２１を切断し、第２の基材２２は切断しない、いわゆるハーフカット処理を行う。また、同様にスリット４では、第２の基材２２の表面から、第２の基材２２を切断し、第１の基材２１は切断しない、いわゆるハーフカット処理を行う。
【００２７】
また、本発明の往復隠蔽はがきは、第１Ｂ基材部と第１Ｃ基材部とを区分けするための、また第２Ａ基材部と第２Ｂ基材部とを区分けするためのスリットは、上記のハーフカット処理で加工するだけでなく、第１の基材と第２の基材とを接着剤で重ね合わす前に、スリットの位置で、予め切断しておいた巻取り状の複数の基材を用意して、各巻取りを供給して、接着剤を塗布し、第１の基材と第２の基材を重ね合わして製造することも可能である。この場合、スリット３、４の位置において、２本の隣接した上記の予め切断しておいた巻取り状の基材を、０．５〜１ｍｍ程度の間隔で離しておくことが好ましい。それは、対応する折り線で折り畳み際に、非常に折り易く、かつスリットの位置から、接着剤Ｂで接着している部分を剥離する際、簡単に剥離し始めることができる。
【００２８】
また、図１ａ）において、第１の基材２１が第１Ａ基材部（１Ａ）と第１Ｂ基材部（１Ｂ）とが折り線２を介して区分けされ、かつ第１の基材２１が第１Ｂ基材部（１Ｂ）と第１Ｃ基材部（１Ｃ）とがスリット３を介して区分けされて形成されている。第１Ａ基材部の表面を１Ａ面とし、第１Ｂ基材部の表面を１Ｂ面とし、また第１Ｃ基材部の表面を１Ｃ面として、図示はしていないが、１Ａ面には、適当な広告を印刷することができる。また、１Ｂ面には「往信」の文字などが印刷され、また往信先の住所、名前２７が記載されている。また、１Ｃ面には返信はがきとして、返信者が返信する人の個人情報を記入しやすくする説明書きなどが印刷されている。上記の往信先の住所、名前２７は、可変情報であり、例えば、ノーインパクトプリンターを使用して、印字される。尚、第１の基材２１についても、上記の第２の基材２２と同様に、両端に、マージナルパンチ２５加工が施された連続フォームの形態で製造され、また上記のプリンター印字は、そのマージナルパンチ加工された部分を利用して、連続処理される。但し、第１の基材２１における往信先の住所、名前２７のプリンター印字と、上記の第２の基材２２における個人情報２３のプリンター印字は、両者の情報の照合性を正確にするために、第１の基材２１と第２の基材２２とが接着剤Ａ、Ｂで重ね合わせて接着している状態で、両面印字可能なプリンターを用いて行なうことが好ましい。
【００２９】
上記に説明した第１の基材２１と第２の基材２２とが、接着剤Ａ（３０）と接着剤Ｂ（３１）を使用して、重ね合わせられている。その接着剤Ａ（３０）と接着剤Ｂ（３１）とは、その塗工する箇所を区分けしており、第１Ａ基材部（１Ａ）と第２Ａ基材部（２Ａ）を重ね合わせるための接着剤が接着剤Ａ（３０）であり、第１Ｃ基材部（１Ｃ）と第２Ｃ基材部（２Ｃ）を重ね合わせるための接着剤も接着剤Ａ（３０）であり、第１Ｂ基材部（１Ｂ）と第２Ｂ基材部（２Ｂ）を重ね合わせるための接着剤が接着剤Ｂ（３１）である。このように、接着剤を使い分けるものである。この接着剤Ａ（３０）は強接着剤であり、一旦接着させた後に、第１の基材２１と第２の基材２２を剥離することが困難である。また、接着剤Ｂ（３１）は一旦接着した後に、剥離可能であり、またその剥離された接着剤Ｂ（３１）を利用して、返信はがき２６の個人情報を記入した欄３２に再接着再剥離することができるものである。この機能を有する接着剤Ｂ（３１）は、擬似接着剤と言われるものである。
【００３０】
図１ａ）で示した往復隠蔽はがき１は、往信時に折り線２で、山折りの条件で折り畳んで、第２の基材２２の第２Ａ基材部と第２Ｂ基材部の表面同士（２Ａ面と２Ｂ面）が重ね合わされて圧着されて接着し、個人情報２３を隠蔽するものである。尚、往信時におけるスリット３の方は、図示したように山折りされ、郵送される。また本発明の往復隠蔽はがき１は、往信時に、３つ折された往復隠蔽はがきとして、利用する際は、両端に設けられたマージナルパンチ２５加工された部分は、切り取り線８、９により、切り離されている。
【００３１】
図１ｂ）で示したものは、図１ａ）で示した往復隠蔽はがきが、往信された後の返信時での使用される状態を説明するもので、往信先の人が、往復隠蔽はがき１を受取って、２Ａ面と２Ｂ面とが接着した状態から、２Ａ面と２Ｂ面とを剥離して、２Ａ面に記載された個人情報２３を確認して、その後にスリット３の部分から、第１の基材２１の第１Ｂ基材部を接着剤Ｂから剥離して、第２の基材２２の第２Ｂ基材部と分離し、かつスリット４の部分から、接着剤Ｂが付着された第２の基材２２の第２Ｂ基材部を、第１の基材２１の第１Ｂ基材部と分離して、第１の基材の第１Ｃ基材部と、第２の基材の第２Ｂ基材部及び第２Ｃ基材部からなる返信はがきを、第１の基材の第１Ｃ基材部の表面に記入した個人情報３２を隠蔽するように、折り線５の部分で折って、第２の基材の第２Ｂ基材部と、第１の基材の第１Ｃ基材部とが接着剤Ｂを介して接着した状態にする。尚、返信はがき２６の個人情報の記入欄３２には、往信された返信者が自分の個人情報に関する必要事項を記入した後に、上記の折り線５の部分で折って、接着剤Ｂを介して、第２Ｂ基材部と第１Ｃ基材部とを接着した状態とする。このように、折り線５の部分で折って貼り合わせて、個人情報を隠蔽するので、従来の隠蔽ラベルを用いて、剥がして貼り込むタイプの場合のラベルを貼る位置がずれることもなく、また返信時に第２の基材２２の第２Ｂ基材部全体で、個人情報３２を隠蔽するので、隠蔽できる面積を多くとれる。このように隠蔽性が高く、簡単に個人情報を隠蔽することができる。
【００３２】
以上、図１を用いて、本発明の往復隠蔽はがきについて、説明したが、図１のように、マージナルパンチ２５の加工された方向と、折り線２、５、とスリット３、４の加工された方向が平行であるが、図４に示すように、マージナルパンチ２５の加工された方向と、折り線２、５、とスリット３、４の加工された方向が直角であるように、往復隠蔽はがきの配置をとることも可能である。
【００３３】
以上、往復隠蔽はがきについて、本発明を説明したが、郵便で配達するはがきの用途に限らず、アンケート用紙等の手渡し等で、配布して、その後に、記入した用紙が回収されるものでも、本発明が適用できる。
【実施例】
【００３４】
以下に、本発明の往復隠蔽はがきについて、実施例に基づいて、説明する。
第１の基材として、上質紙、アート紙、コート紙等のパルプをした用紙を用い、第２の基材として、上質紙の片側の全面に、粘着主剤、粘着力調整剤、添加物で構成した再剥離性感圧粘着剤を塗工したものを用意した。まず、図１に示すように第１の基材の１Ａ面には、その往復隠蔽はがきの往信元である企業の宣伝のための広告を、また１Ｂ面には「往信」の文字などを、さらに１Ｃ面には返信はがきとして、返信者が返信する人の個人情報を記入しやすくする説明書きを、それぞれオフセット印刷方式で、インラインで印刷形成する。また、第１の基材の両端には、マージナルパンチ２５を連続的に加工し、連続して巻き取った状態とした。但し、第１の基材の第１Ｂ基材部の所定の位置に貫通穴６を施して、第２の基材の第２Ｂ基材部と重ね合った時に、第２Ｂ基材部の接着剤Ｂが設けられた側に印刷された特定情報である「郵便往復はがき」が、該貫通穴６を通して視認できるようにした。
【００３５】
第２の基材の２Ｃ面には返信時のはがきの「郵便はがき（返信）」の文字等を、印刷形成し、また第２Ｂ基材部の接着剤Ｂが設けられる側に「郵便往復はがき」を印刷形成する。但し、第２の基材には、上記の再剥離性感圧粘着剤が塗工されている。第２の基材の両端には、マージナルパンチ２５を連続的に加工し、連続して巻き取った状態とした。
【００３６】
上記の得られた第１の基材の巻取りと、第２の基材の巻取りを給紙部に設置して、接着剤Ｂ（３１）を塗工できるユニット１と、接着剤Ａ（３０）を塗工できるユニット２を隣接して設けた糊付けコレーターにて、第１の基材の巻取りの上記の印刷面と反対側に、図１ａ）に示すようなパターンで、接着剤Ｂ（３１）を塗工し、続けて第１の基材の巻取りの接着剤Ｂ（３１）が塗工された面と同じ側に、図１ａ）に示すようなパターンで、接着剤Ａ（３０）を塗工し、接着剤Ａ（３０）及び接着剤Ｂ（３１）が塗工された面と、第２の基材の上記の印刷面と反対側とが接するように、重ね合わせる。その時に、第１の基材の第１Ｂ基材部に加工した貫通穴６を通して、第２Ｂ基材部の接着剤Ｂが設けられた側に印刷された「郵便往復はがき」が、視認できるように、また第１の基材と第２の基材の各印刷された部分が両者の位置関係が合うように、マージナルパンチを利用したピン送り方式で、第１の基材と第２の基材の見当合わせを行なう。さらに、貼り合わせ時４０と４１に示す位置に、横ミシン目の加工を施して、折り出しした。
【００３７】
上記の連続フォームとして丁合された往復隠蔽はがきは、横ミシン目４０、４１の部分で、折られた折り状態とする。次に、上記の往復隠蔽はがきを、両面印字のノーインパクトプリンターにて、第１の基材２１における１Ｂ面に、往信先の住所、名前２７の可変情報を、さらに、第２の基材２２の２Ａ面に、個人情報２３の可変情報を、それぞれ一つの往復隠蔽はがきとした時に、両者の情報の照合性がとれた状態で、両面印字を行なった。
【００３８】
その後に、切り取り線８、９を利用して、両端に設けられたマージナルパンチ２５加工された部分を、切り離した後に、折り線２で、山折りの条件で折り畳んで、第２の基材２２の第２Ａ基材部と第２Ｂ基材部の表面同士（２Ａ面と２Ｂ面）が重ね合わされて圧着されて接着するように、シーラーにて圧力を加える。但し、この加圧処理は長尺の往復隠蔽はがきを使用して、連続処理で行なう。圧着の工程中で、横ミシン目４０、４１を利用して、長尺の連続フォームから、多数の枚葉のシート状である、本発明の往復隠蔽はがきを形成した。
【００３９】
上記の得られた往復隠蔽はがきを往信先に郵送したところ、異常なく往信先に往復隠蔽はがきが届けられた。往信先の人は、２Ａ面と２Ｂ面とが接着した状態から、２Ａ面と２Ｂ面とを手で剥離して、２Ａ面に記載された個人情報２３を確認して、その後にスリット３の部分から、第１の基材２１の第１Ｂ基材部を接着剤Ｂから剥離して、第２の基材２２の第２Ｂ基材部と分離し、かつスリット４の部分から、接着剤Ｂが付着された第２の基材２２の第２Ｂ基材部を、第１の基材２１の第１Ｂ基材部と分離して、第１の基材の第１Ｃ基材部と、第２の基材の第２Ｂ基材部及び第２Ｃ基材部からなる返信はがきを得る。この返信はがき２６の個人情報の記入欄３２に、往信された返信者は自分の個人情報に関する必要事項を記入した。その後に、第１の基材の第１Ｃ基材部の表面に記入した個人情報３２を隠蔽するように、折り線５の部分で折って、第２の基材の第２Ｂ基材部と、第１の基材の第１Ｃ基材部とが接着剤Ｂを介して接着した状態にした。そして、その返信はがきを郵送した。この返信はがきは、返信先に異常なく届けられ、返信先の関係者が第２Ｂ基材部と、第１Ｃ基材部とを接着剤Ｂから剥離して、個人情報の記入欄３２の内容を確認し、必要事項を記憶装置へ入力する等の処置を行った。以上の往復隠蔽はがきは、プリンターの印字適性、搬送適性等に優れ、また製造する上で、製造工程が増えることもなく、隠蔽性が高く、隠蔽ラベルを用いて、剥がして貼り込む際、ラベルの貼る位置が曲がったり、外れることがなく、折り線５の部分で折って貼り合せるだけで、簡単に個人情報を隠蔽することができ、往信元（返信先）と往信先（返信者）において、取扱い上、問題がなく使用された。
【図面の簡単な説明】
【００４０】
【図１】本発明の往復隠蔽はがきの一つの実施形態を示す概略図である。
【図２】従来の往復隠蔽はがきの一例を示す図である。
【図３】従来の往復隠蔽はがきの一例を示す図である。
【図４】本発明の往復隠蔽はがきの他の実施形態を示す概略図である。
【符号の説明】
【００４１】
１      往復隠蔽はがき
２      折り線
３      スリット
４      スリット
５      折り線
６      貫通穴
７      特定情報
８      切り取り線
９      切り取り線
１０      はがき本体
１２      折り線
１３      折り線
１４      隠蔽ラベル
１５      切り取り線
１６      切り取り線
１７      切り抜き部
１８      配置されたシート
１９      ハーフカット
２１      第１の基材
２２      第２の基材
２３      返信者の個人情報
２４      再剥離性感圧粘着剤層
２５      マージナルパンチ
２６      返信はがき
２７      往信先の住所、名前
３０      接着剤Ａ
３１      接着剤Ｂ
３２      個人情報を記入した欄
４０、４１      横ミシン目
【図１】
2008006742.tif 000003
【図２】
2008006742.tif 000004
【図３】
2008006742.tif 000005
【図４】
2008006742.tif 000006